【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
アーク管を作成する方法であって、
ａ）ワックスコアをコアピンワイヤの上に成型するステップと、
ｂ）前記コアピンワイヤが前記アーク管の内部容積を通って連続的に延びるように、前記アーク管を前記ワックスコアの上にわたって成型するステップと、
ｃ）前記アーク管が成型された後、前記アーク管の前記内部容積内から前記ワックスコアを除去するステップとを含む、方法。
【請求項２】
前記コアピンワイヤが、その全長に沿って離れた間隔で提供された複数のボスを備え、前記ワックスコアが、前記ボスの隣接ボス間に画定された前記コアピンワイヤのセグメントの上に成型され、
前記コアピンワイヤの前記セグメントにおいて所定の張力を生成するのに十分な力を前記隣接ボスの一方または両方に加えることによって、前記ワックスコアを上に成型する最中に前記コアピンワイヤの前記セグメントに張力をかける、請求項１記載の方法。
【請求項３】
前記アーク管が、
内表面を有する鋳型空洞内において前記ワックスコアを前記コアピンワイヤの上に配置し、前記鋳型空洞の前記内表面が、前記ワックスコアの外表面との間にアーク管成型空間を画定するように前記ワックスコアの外表面と共動することと、
成型化合物を前記成型空間に注入することと、
前記成型空間の寸法にほぼ対応する寸法を有する前記アーク管を提供するように、前記成型化合物を硬化させることとによって成型される、請求項１又は２に記載の方法。
【請求項４】
前記コアピンワイヤの第１セグメントにおいて、第１ワックスコアを前記コアピンワイヤの上に成型し、第１アーク管を前記第１ワックスコアの上にわたって成型することと、
前記コアピンワイヤの第２セグメントにおいて、第２ワックスコアを前記コアピンワイヤの上に成型し、第２アーク管を前記第２ワックスコアの上にわたって成型することとを備え、
それにより、前記コアピンワイヤが、前記第１アーク管および第２アーク管の両方の内部容積を通って連続的に延びる、請求項１乃至３のいずれか１項に記載の方法。
【請求項５】
アーク管を作成する方法であって、
ａ）第１セグメントおよび第２セグメントを有するコアピンワイヤを提供し、前記第１セグメントが、前記第２セグメントより前に前記コアピンワイヤに沿った位置に配置されることと、
ｂ）前記第１セグメントが第１ワックス成型局に搬送されるように、前記コアピンワイヤを搬送経路に沿って搬送することと、
ｃ）前記ワックス成型局において、その前記第１セグメントにおいて第１ワックスコアを前記コアピンワイヤの上に成型することと、
ｄ）その後、前記コアピンワイヤを前記搬送経路に沿って前進させ、それにより前記第１セグメントを第２アーク管成型局に搬送し、かつ前記第２セグメントを前記第１ワックス成型局に搬送することと、
ｅ）その後、前記ワックス成型局において、前記第２セグメントにおいて第２ワックスコアを前記コアピンワイヤの上に成型し、前記アーク管成型局において、前記第１セグメントにおいて第１アーク管を前記第１ワックスコアの上にわたって成型することとを備える、方法。
【請求項６】
１部品一体的形成アーク管を作成する連続成型装置であって、
閉位置にあるとき、ワックス鋳型を共に画定する対向する第１ワックス鋳型半分および第２ワックス鋳型半分を備えるワックス成型局であって、各前記ワックス鋳型半分が、閉位置において、それぞれのワックス鋳型空洞半分が完成なワックス鋳型空洞を画定するように、内部に提供された前記それぞれのワックス鋳型空洞半分を有し、前記ワックス鋳型半分が、それを通るコアピンワイヤを収容するために閉位置にあるとき、装置を経てコアピンワイヤを搬送するために機械方向に沿って縦方向経路が前記ワックス鋳型を通って画定されるように、前記ワックス鋳型半分が、それぞれの対向して縦方向に延びる溝をさらに備える、ワックス成型局と、
前記機械方向に対して前記ワックス成型局から下流の位置において、閉位置にあるとき、アーク管鋳型を共に画定する対向する第１アーク管鋳型半分および第２アーク管鋳型半分を備えるアーク管成型局であって、各前記アーク管鋳型半分が、閉位置において、それぞれのアーク管鋳型空洞半分が完成なアーク管鋳型空洞を画定するように、内部に提供されたそれぞれの前記アーク管鋳型空洞半分を有し、前記アーク管鋳型半分が、それを通るコアピンワイヤを収容するために閉位置にあるとき、縦方向経路が前記機械方向に沿って前記アーク管鋳型を経て画定されるように、前記アーク管鋳型半分が、それぞれの対向して縦方向に延びる溝をさらに備える、アーク管成型局とを備える、装置。
【請求項７】
前記コアピンワイヤの全長に沿って離れた間隔で提供されたボスを内部において収容および保持するように適合された複数の張力かけブロックをさらに備え、前記張力かけブロックが、前記装置の動作中に前記コアピンワイヤにおいて張力を提供するように動作可能である、請求項６記載の装置。
【請求項８】
前記機械方向に対して、前記ワックス成型局の上流に位置する近位張力かけブロックと、前記ワックス成型局と前記アーク管成型局の間に位置する中間張力かけブロックと、前記アーク管成型局の下流に位置する遠位張力かけブロックとを備え、前記中間張力かけブロックが、静止張力かけブロックであり、前記近位張力かけブロックが、可動張力かけブロックであり、前記ワックス成型局に位置するセグメントにおいて前記コアピンワイヤに選択的に張力をかけるように動作可能であり、前記遠位張力かけブロックが、可動張力かけブロックであり、前記アーク管成型局に位置するセグメントにおいて前記コアピンワイヤに選択的に張力をかけるように動作可能である、請求項７記載の装置。
【請求項９】
内部に少なくとも１つの間隙空間を有する１部品の一体的に形成された成型部分を作成する連続成型装置であって、それぞれの閉位置および開位置に互いに向かっておよび互いから離れて可逆的に可動である第１往復運動ベース部材および第２往復運動ベース部材を備え、前記ベース部材が、
前記ベース部材の閉位置において、それぞれのワックス鋳型半分が完全ワックス鋳型を画定し、かつそれぞれのワックス鋳型空洞半分が完全ワックス鋳型空洞を画定するように、内部に提供されたそれぞれの第１ワックス鋳型空洞半分および第２ワックス鋳型空洞半分を有するそれぞれの対向する第１ワックス鋳型半分および第２ワックス鋳型半分と、
前記装置を経てコアピンワイヤを搬送するための前記第１ワックス鋳型半分および前記第２ワックス鋳型半分の下流の位置において、前記ベース部材の前記閉位置において、それぞれの部分鋳型半分が完全部分鋳型を画定し、それぞれの部分鋳型空洞半分が完全部分鋳型空洞を画定するように、内部に提供されたそれぞれの第１部分鋳型空洞半分および第２部分鋳型空洞半分を有するそれぞれの対向する第１部分鋳型半分および第２部分鋳型半分と、
前記装置の動作中に前記コアピンワイヤに張力をかける手段とを固定されて有する、装置。
【請求項１０】
上に成型されたワックスコアを有するコアピンワイヤと、前記コアピンワイヤが成型部分の内部容積を通って連続的に延びるように前記ワックスコアの上にわたって成型された前記成型部分とを備える、組合せ。
【請求項１１】
前記コアピンワイヤが、その全長に沿って離れた間隔で上に成型された複数の前記ワックスコアを有し、前記ワックスコアの少なくとも一部が、その上にわたって成型されたそれぞれの成型部分を有し、前記コアピンワイヤが、前記成型部分のすべてを通って連続的に延びる、請求項１０記載の組合せ。
【請求項１２】
連続プロセスにおいて内部に間隙空間を有する一体的に形成された１部品成型部分を作成する方法であって、
コアピンワイヤの第１セグメントにおいて、第１ワックスコアを前記コアピンワイヤの上に成型し、かつ第１成型部分を前記第１ワックスコアの上にわたって成型し、前記第１ワックスコアが、前記第１成型部分内において提供される所望の間隙空間に対応する寸法を有することと、
前記コアピンワイヤの第２セグメントにおいて、第２ワックスコアを前記コアピンワイヤの上に成型し、かつ第２成型部分を前記第２ワックスコアの上にわたって成型し、前記第２ワックスコアが、前記第２成型部分内において提供される所望の間隙空間に対応する寸法を有することとを備え
それにより、前記コアピンワイヤが、前記第１成型部分および前記第２成型部分の両方の内部容積を通って延びる、方法。